(57)【要約】      （修正有）【課題】開封時の注出口部の開口が容易で、内容物の注出状態が安定しており、注出口部の開口巾の寸法を比較的大きくとることが可能な注出口付詰替え用パウチを提供する。【解決手段】パウチ１００の胴部の上方片側隅に、前方側シール部１５１と上方側シール部１５２と下方側シール部１５３とからなる注出口部１５０を形成し、パウチを開封するときに、注出口部の前方側シール部の後方位置を切断開口し、この注出口部の開口断面形状が、開口中心点から点対称の形状で、注出口部の開口断面形状の上方側シール部と下方側シール部が、開口中心点から点対称の位置にあり、注出口部の注出路の表裏いずれか側のフィルムの上方側シール部の下方位置に、外側へ凸となる線状の保形用エンボス加工１５６を施し、他方側のフィルムの下方側シール部の上方位置に、外側へ凸となる線状の保形用エンボス加工１５７を施す。【選択図】図１
2009035316.tif 000002
【特許請求の範囲】
【請求項１】
表側フィルムと裏側フィルムとを重ね合わせて四方外周縁部にシール部を形成した長方形状のパウチであって、前記パウチの胴部の上方片側隅に、前方側シール部と上方側シール部と下方側シール部とからなる注出口部を形成し、前記パウチを開封するときに、前記注出口部の前方側シール部の後方位置を切断して開口し、該注出口部の開口断面形状が、開口中心点から点対称の形状であり、前記注出口部の開口断面形状の上方側シール部と下方側シール部が、開口中心点から点対称の位置にあり、前記注出口部の注出路の前記表裏いずれか側のフィルムの上方側シール部の下方所定位置に、外側へ凸となる線状の保形用エンボス加工を施し、他方側のフィルムの下方側シール部の上方所定位置に、外側へ凸となる線状の保形用エンボス加工を施したことを特徴とする注出口付詰替え用パウチ。
【請求項２】
前記注出口部の注出路に施した外側へ凸となる線状の保形用エンボス加工を、前記注出口部からパウチの胴部中心方向へ延設したことを特徴とする請求項１記載の注出口付詰替え用パウチ。
【請求項３】
前記注出口部の上方側シール部と下方側シール部に、互い違いになるように罫押して捻じれを誘導する癖付けをしたことを特徴とする請求項１又は請求項２記載の注出口付詰替え用パウチ。
【請求項４】
前記パウチの底部に折込み部を設けた自立型パウチであることを特徴とする請求項１乃至請求項３記載の注出口付詰替え用パウチ。
【発明の詳細な説明】
【技術分野】
【０００１】
本発明は、詰替え用の調味料、化粧品、洗剤類などを収容する包装材料として使用され、本体容器への詰め替え作業が容易な注出口付詰替え用パウチに関するものである。
【背景技術】
【０００２】
従来、環境保全や省資源を目的として、空になった本体容器を繰り返し使用するために、その詰替え用内容物を収納する詰替え用パウチが広く使用されていた。この詰替え用パウチとしては、表裏の合成樹脂フィルムの周縁部を熱融着などでシールした長方形状のパウチが使用されていたが、この詰替え用パウチは、内容物を本体容器に移し替えるときに、パウチの上部の両端間を切断するか、パウチの片側の角部を切断して本体容器に内容物を移し替えており、内容物が本体容器外へ飛び散るなど移し替えにくいことがあった。このため、内容物の移し替え作業を容易にするために、パウチの上方角部の注出位置に、本体容器の口径に見合った所定巾の注出口部を形成し、注ぎ量に大きく影響する注出口部の開口面積を確保するように、注出口部にフィルムとは別部材の小管を挿入したり（例えば、特許文献１参照。）、注出口付近のフィルム自体を膨らませて立体形状とすることで開口面積を確保するものなど多くの提案がなされていた。
【特許文献１】特開平５−１３２０６９号公報
【発明の開示】
【発明が解決しようとする課題】
【０００３】
しかしながら、上述の小管を注出口部に挿入したパウチは、注出口部の流路に小管を挿入するため、小管の厚み分だけ流路の開口面積が小さくなって、本体容器の口径が小さい場合には、内容物が注出しずらかったり、パウチ内部へのエアの置換がしずらく、注出する内容物が脈動したり、小管とフィルム間に内容物が停滞し易いことなどがあった。また、注出口付近のフィルム自体を膨らませて立体形状にしたパウチは、開口された注出口部より内容物を注出するときに、内容物の圧力によって注出口部の根元付近が膨らむことにより、表裏フィルムが注出口部の両端に引っ張られ擬似密着状態となり、注出口部の先端まで膨らまずに開口部が閉塞して、内容物が注出されないことがあった。また、開口部の上方側及び下方側にシール部が形成されており、開口部がこれらのシール部に大きく影響されて、適した開口形状が得られないこともあった。
【０００４】
本発明は、上述の従来の詰替え用パウチの問題点を解決したものであり、開封時の注出口部の開口が容易であり、内容物の注出状態が安定しており、注出口部の開口巾の寸法を比較的大きくとることが可能な注出口付詰替え用パウチを提供するものである。
【課題を解決するための手段】
【０００５】
すなわち、本発明の第１の発明は、表側フィルムと裏側フィルムとを重ね合わせて四方外周縁部にシール部を形成した長方形状のパウチであって、前記パウチの胴部の上方片側隅に、前方側シール部と上方側シール部と下方側シール部とからなる注出口部を形成し、前記パウチを開封するときに、前記注出口部の前方側シール部の後方位置を切断して開口し、該注出口部の開口断面形状が、開口中心点から点対称の形状であり、前記注出口部の開口断面形状の上方側シール部と下方側シール部が、開口中心点から点対称の位置にあり、前記注出口部の注出路の前記表裏いずれか側のフィルムの上方側シール部の下方所定位置に、外側へ凸となる線状の保形用エンボス加工を施し、他方側のフィルムの下方側シール部の上方所定位置に、外側へ凸となる線状の保形用エンボス加工を施したことを特徴とする注出口付詰替え用パウチである。
【０００６】
次に、本発明の第２の発明は、前記注出口部の注出路に施した外側へ凸となる線状の保形用エンボス加工を、前記注出口部からパウチの胴部中心方向へ延設したことを特徴とする第１の発明に記載の注出口付詰替え用パウチである。
【０００７】
次に、本発明の第３の発明は、前記注出口部の上方側シール部と下方側シール部に、互い違いになるように罫押して捻じれを誘導する癖付けをしたことを特徴とする第１の発明又は第２の発明に記載の注出口付詰替え用パウチである。
【０００８】
そして、本発明の第４の発明は、前記パウチの底部に折込み部を設けた自立型パウチであることを特徴とする第１の発明乃至第３の発明に記載の注出口付詰替え用パウチである。
【発明の効果】
【０００９】
本発明の注出口付詰替え用パウチは、注出口部の注出路の表裏いずれか側のフィルムの上方側シール部の下方所定位置に、外側へ凸となる線状の保形用エンボス加工を施され、他方側のフィルムの下方側シール部の上方所定位置に、外側へ凸となる線状の保形用エンボス加工が施されているため、開封して傾斜させて内容物を注出するときに、パウチ胴部に収納されている内容物が、注出口部の注出路に流入しやすく、注出口部の開口が容易である。さらに、注出口部の注出路に施した外側へ凸となる線状の保形用エンボス加工を、注出口部からパウチの胴部中心方向へ延設させたもの、また、注出口部の上方側シール部と下方側シール部に、互い違いになるように罫押して捻じれを誘導する癖付けしたものは、内容物が注出口部の注出路に流入しやすく、更に注出口部の開口が容易である。
【００１０】
また、本発明の注出口付詰替え用パウチは、上述したように、注出口部の注出路にパウチ胴部に収納されている内容物が流入し易いため、適した注出路の開口形状が得られ、内容物の注出状態が安定している。
【００１１】
また、本発明の注出口付詰替え用パウチは、パウチの胴部の上方片側隅に、前方側シール部と上方側シール部と下方側シール部により注出口部を形成するものであるため、注出口部の開口巾の寸法を比較的大きくとることが可能である。
【発明を実施するための最良の形態】
【００１２】
次に、本発明の一実施形態の注出口付詰替え用パウチについて、図を用いて詳細に説明する。
【００１３】
本実施形態の注出口付詰替え用パウチ（１００）は、図１（ａ）又は（ｂ）に示すように、表側フィルム（１１０）と裏側フィルム（１２０）とを重ね合わせて四方外周縁部にシール部（１３０）を形成した長方形状のパウチであり、パウチの胴部（１４０）の上方片側隅に、前方側シール部（１５１）と上方側シール部（１５２）と下方側シール部（１５３）とからなる注出口部（１５０）を形成し、パウチの底部（１６０）に、折込み部（１６１）を設けた自立型パウチである。なお、表側フィルム及び裏側フィルムには、パウチの使用目的に合わせて、単層フィルム又は積層フィルムを使用するものである。また、パウチの上端縁部に設けるシール部は、内容物をパウチに充填したのちに、熱融着により形成してパウチを密封するものである。また、注出口部（１５０）の前方シール部（１５１）の上端から上方シール部（１５２）の前端にかけて、注出口部を切断開口し易いように開封つまみ（１５４）を設けるものである。
【００１４】
上述の注出口部の構造は、前方側シール部の後方位置を切断してパウチを開封したときに、注出口部の開口断面形状が、開口中心点から点対称の形状で、注出口部の開口断面形
状の上方側シール部と下方側シール部が、開口中心点から点対称の位置にあり、図１（ｂ）に示すように、注出路（１５５）の表側フィルム（１１０）の上方側シール部（１５２）の下方所定位置に、外側へ凸となる線状の保形用エンボス加工（１５６）を施し、裏側フィルム（１２０）の下方側シール部（１５２）の上方所定位置に、外側へ凸となる線状の保形用エンボス加工（１５７）を施したものである。
【００１５】
なお、更に注出口部の開口を容易にするために、注出口部の注出路に施した外側へ凸となる線状の保形用エンボス加工を、注出口部からパウチの胴部中心方向へ延設してもよく、また、注出口部の上方側シール部と下方側シール部に、互い違いになるように罫押して捻じれを誘導する癖付けをしてもよい。
【図面の簡単な説明】
【００１６】
【図１】（ａ）は、本発明の一実施形態の注出口付詰替え用パウチの内容物を充填前の正面図であり、（ｂ）は、そのＡ−Ａ線断面を示す説明図である。
【符号の説明】
【００１７】
１００……注出口付詰替え用パウチ
１１０……表側フィルム
１２０……裏側フィルム
１３０……シール部
１４０……胴部
１５０……注出部
１５１……前方側シール部
１５２……上方側シール部
１５３……下方側シール部
１５４……開封つまみ
１５５……注出路
１５６，１５７……エンボス加工
１６０……底部
【図１】
2009035316.tif 000003